(57)【要約】      （修正有）【課題】表示パネルの輝度を保ちつつ表示パネルを均一に照明することが可能な表示装置を提供する。【解決手段】表示パネル１と、この表示パネル１の背後で窓部Ｗよりも外側に設けられる光源４と、表示パネル１を背後から支持すると共に表示パネル１とは空気層Ｓを隔てて対向する第１の反射部２４と、光源４からの光を回路基板５側に反射する第２の反射部２６とを有し、この第１、第２の反射部２４，２６により光源４からの光を液晶表示パネル１側に反射するケース２とを備え、回路基板５にその基板面の色よりも反射率の高い色を有する反射層５１を設けてなる表示装置において、反射層５１は、基板面を覆う被覆部５１ａと、基板面が露出する露出部５１ｂとを有し、被覆部５１ａは光源４から遠ざかる方向において露出部５１ｂを挟んで隣接するように形成される。【選択図】図２
2012108217.tif 000002
【特許請求の範囲】
【請求項１】
窓部を有するパネル体と、前記窓部に臨むように前記パネル体の背後に設けられ所定の情報を表示する表示パネルと、この表示パネルの背後で前記窓部よりも外側に設けられる光源と、この光源を搭載する回路基板と、前記表示パネルを背後から支持すると共に前記表示パネルとは空気層を隔てて対向する第１の反射部と、前記光源からの光を前記第１の反射部側に反射する第２の反射部とを有し、この第１、第２の反射部により前記光源からの光を前記表示パネル側に反射する支持体とを備え、前記回路基板にその基板面の色よりも反射率の高い色を有する反射層を設けてなる表示装置において、前記反射層は、前記基板面を覆う被覆部と、前記基板面が露出する露出部とを有し、前記被覆部は前記光源から遠ざかる方向において前記露出部を挟んで隣接するように形成されることを特徴とする表示装置。
【請求項２】
前記被覆部が前記露出部を挟んでバーコード状もしくは網点状に形成されることを特徴とする請求項１に記載の表示装置。
【発明の詳細な説明】
【技術分野】
【０００１】
本発明は、例えば車両用計器に組み込まれ種々の情報を表示する表示装置に関し、特に表示素子としての表示パネルを背後から照明するタイプの表示装置に関する。
【背景技術】
【０００２】
例えば車両用のコンビネーションメータには、スピードメータやタコメータ等のゲージ類と共に様々な情報を表示する表示装置を組み込むタイプのものがあり、表示素子として例えば液晶表示パネルを用いた表示装置が一般によく知られている。
【０００３】
この種の表示装置は、特許文献１に記載されているように、液晶表示パネルからなる表示パネルをスペーサ兼ライトケースからなる支持体にて支持すると共に、支持体の内部で表示パネルの可視範囲を外れた回路基板の表面箇所にＬＥＤ（発光ダイオード）からなるバックライト用の光源を配置してなる。支持体には、表示パネルと空気層を隔てて対向する反射壁を設け、この反射壁と表示パネルとの間における光源からの光の相互反射により表示パネルを照明している。そして光源に隣接する回路基板箇所には回路基板の基板面の色（多くは緑系色）よりも反射率の低い例えば黒色の印刷層からなる光吸収部を形成し、この光吸収部によって、表示パネルの光源に近い領域に照射される光の輝度を調整する（低下させる）ことでムラ（光源に近い領域が明るくなりすぎること）を抑え、表示パネルを均一に照明している。
【先行技術文献】
【特許文献】
【０００４】
【特許文献１】特開２００１−１２５４９６号公報
【発明の概要】
【発明が解決しようとする課題】
【０００５】
しかしながら、この表示装置は、表示パネルを照射する反射光の輝度の均一性を図るべく、光源の光の進行に伴って光を吸収する光吸収部で反射量を減少させていたため、表示パネルに到達する全体的な光量が減少してしまい、結果として光源の照明効率が低下するという問題点があった。
【０００６】
一方、光量を減少させないために、光吸収部の替わりに回路基板の基板面の色よりも反射率の高い例えば白色の反射層を設ける方法もあるが、この場合、全体の輝度は向上するものの、光源に近い領域が明るくなりすぎるため輝度の均一性が保たれないという問題点が新たに生じ改良の余地があった。
【０００７】
本発明はこの点に鑑みてなされたものであり、その主な目的は、表示パネルの輝度を保ちつつ表示パネルを均一に照明することが可能な表示装置を提供することを目的とする。
【課題を解決するための手段】
【０００８】
本発明は、前記目的を達成するため、窓部を有するパネル体と、前記窓部に臨むように前記パネル体の背後に設けられ所定の情報を表示する表示パネルと、この表示パネルの背後で前記窓部よりも外側に設けられる光源と、この光源を搭載する回路基板と、前記表示パネルを背後から支持すると共に前記表示パネルとは空気層を隔てて対向する第１の反射部と、前記光源からの光を前記第１の反射部側に反射する第２の反射部とを有し、この第１、第２の反射部により前記光源からの光を前記表示パネル側に反射する支持体とを備え、前記回路基板にその基板面の色よりも反射率の高い色を有する反射層を設けてなる表示装置において、前記反射層は、前記基板面を覆う被覆部と、前記基板面が露出する露出部とを有し、前記被覆部は前記光源から遠ざかる方向において前記露出部を挟んで隣接するように形成されるものである。このように構成することによって光源から遠ざかる方向に連続する被覆部からなる高反射領域と露出部からなる低反射領域とで表示パネルに向かう光を調整することができるため、表示パネルの輝度を保ちつつ表示パネルをバランス良く照明することができる。
【０００９】
また本発明は、前記被覆部が前記露出部を挟んでバーコード状もしくは網点状に形成されるものである。このように構成することによって、表示パネルの照明バランスを微調整することができる。
【発明の効果】
【００１０】
本発明によれば、表示パネル全体の輝度を保ちつつ、表示パネルの照明ムラを防ぎ略均一に照明することができる。
【図面の簡単な説明】
【００１１】
【図１】本発明における第１の実施形態を示す表示装置の正面図。
【図２】同上のＡ−Ａ断面図。
【図３】同上の要部の拡大正面図。
【発明を実施するための形態】
【００１２】
本発明による表示装置を自動車用メータに適用した場合を例として、その実施形態を添付図面を用いて説明する。
【００１３】
図１においてコンビネーションメータは、指針Ｐと、指針Ｐの指示対象となる目盛、文字、記号等の表示部Ｍとを備えた計器パネル（パネル体）ＭＰと、この計器パネルＭＰに形成した開口窓形状の窓部Ｗに対応して設けられる表示装置Ｄとを備えている。
【００１４】
表示装置Ｄは、図２に示すように、表示パネル１と、この表示パネル１を支持する支持体（ケース）２と、このケース２に表示パネル１を装着固定する抑え部材３と、表示パネル１を照明する光源４と、この光源４を保持すると共に電源供給を行う回路基板５とから構成され、表示パネル１の表示面が計器パネルＭＰの窓部Ｗに臨むように設けられている。
【００１５】
表示パネル１は液晶表示パネルからなり、図２に示すように、一対の透明なガラス基板１１ａ，１１ｂと、これらガラス基板１１ａ，１１ｂ間に封入される液晶分子１２と、互いに対向するガラス基板１１ａ，１１ｂの内面に形成された一対の透明電極１３ａ，１３ｂと、ガラス基板１１ａ，１１ｂを挟むようにその前面及び背面に配置される一対の偏光板１４ａ，１４ｂと、背後側に位置する偏光板１４ｂの背面に配置される例えばグレーの色彩を有する半透過反射板１５とで構成されている。
【００１６】
ケース２は、白色あるいは乳白色の合成樹脂により、表示パネル１側に向けて開口し、且つ表示パネル１を背後から支持し得る略枠体状に形成されており、表示パネル１を位置決め保持する保持部２１と、内部に光源４を収納する光源収納部２３と、表示パネル１とは空気層Ｓを隔てて対向する第１の反射部２４とを備えている。なおこの場合、光源収納部２３は、空気層Ｓに連通している。
【００１７】
第１の反射部２４は、光源４からの距離が遠くなるに従って次第に表示パネル１に近づく傾斜面として形成され、光源４からの光を表示パネル１側に反射できるように設けられている。
【００１８】
光源収納部２３には、この部分から連続して光源４と表示パネル１との間を真下に延びる遮光部２５が形成され、光源４に近い表示パネル１領域が明るくなり過ぎないように空気層Ｓ側に向かう光を遮断するために設けられている。また、光源収納部２３には、光源４の出射口４１に面した傾斜を有した第２の反射部２６が形成されている。
【００１９】
抑え部材３は、表示パネル１の表示面を露出する金属製の枠体からなり、表示パネル１をケース２に固定すると共に、表示パネル１と回路基板５とを固定している。
【００２０】
光源４は、例えば発光ダイオードからなり、光源収納部２３の第２の反射部２６に向かって発光するように、しかも表示パネル１の表示面の可視範囲を規定する計器パネルＭＰの窓部Ｗよりも外側に位置するように回路基板５の前方側に導通固定されており、光源４が点灯すると、その光は、光源収納部２３の第２の反射部２６、ケース２の第１の反射部２４及び空気層Ｓを通じて表示パネル１に到達し、表示パネル１を透過照明する。
【００２１】
回路基板５は、ガラスエポキシ系のいわゆる硬質回路基板からなり、図示しないが、光源４に導通する所定の回路パターンが形成されると共に、光源４が実装される基板領域には、第２の反射部２６によって反射された光を表示パネル１に向けて反射するための反射層５１が設けられている。
【００２２】
反射層５１は、例えばシルク印刷などの手法で回路基板５上に設けられた印刷層であり、回路基板５の基板面の色（例えば緑色）よりも反射率の高い色（例えば白色）を有する反射層からなる。
【００２３】
また、反射層５１は、図３の（ａ）に示すように、バーコード状に形成され、基板面を覆う被覆部５１ａと、基板面が露出する露出部５１ｂとを有し、被覆部５１ａは光源４から遠ざかる方向において露出部５１ｂを挟んで隣接するように形成される。
【００２４】
なお、反射層５１は、変形例として図３の（ｂ）に示すように、基板面を覆う被覆部５１ａと、基板面が露出する露出部５１ｂとが網点状に形成され、被覆部５１ａは光源４から遠ざかる方向において網点が小さくなるように形成してもよい。
【００２５】
以上、詳述したように、本実施例では、窓部Ｗを有するパネル体ＭＰと、窓部Ｗに臨むようにパネル体ＭＰの背後に設けられ所定の情報を表示する表示パネル１と、この表示パネル１の背後で窓部Ｗよりも外側に設けられる光源４と、表示パネル１を背後から支持すると共に表示パネル１とは空気層Ｓを隔てて対向する第１の反射部２４と、光源４からの光を回路基板５側に反射する第２の反射部２６とを有し、この第１、第２の反射部２４，２６により光源４からの光を液晶表示パネル１側に反射するケース２とを備え、回路基板５にその基板面の色よりも反射率の高い色を有する反射層５１を設けてなる表示装置において、反射層５１は、基板面を覆う被覆部５１ａと、基板面が露出する露出部５１ｂとを有し、被覆部５１ａは光源４から遠ざかる方向において露出部５１ｂを挟んで隣接するように形成されることによって、光源４から遠ざかる方向に連続する被覆部５１ａからなる高反射領域と露出部５１ｂからなる低反射領域とで表示パネル１に向かう光を調整することができるため、表示パネル１の輝度を保ちつつ表示パネル１をバランス良く照明することができる。
【００２６】
また、被覆部５１ａが露出部５１ｂを挟んでバーコード状もしくは網点状に形成されることによって、表示パネル１の照明バランスを微調整することができる。
【符号の説明】
【００２７】
１      液晶表示パネル（表示パネル）
２      ケース（支持体）
３      抑え部材
４      光源
５      回路基板
２４    第１の反射部
２５    遮光部
２６    第２の反射部
５１    反射層
５１ａ  被覆部
５１ｂ  露出部
Ｄ      表示装置
Ｍ      表示部
ＭＰ    計器パネル（パネル体）
Ｐ      指針
Ｗ     窓部
【図１】
2012108217.tif 000003
【図２】
2012108217.tif 000004
【図３】
2012108217.tif 000005